(57)【要約】【課題】スライドレールが支持される強度を高めるための支持機構を有するスライドレールアセンブリを提供すること。【解決手段】スライドレールアセンブリは第１のレール、第２のレール、第３のレール及び少なくとも１つの支持構造体を含む。第２のレールは第１のレールに対して可動である。第３のレールは第１のレールと第２のレールとの間に取り付けられている。少なくとも１つの支持構造体は第１のレールに対して所定の位置に配置されている。第２のレールが第１のレールに対して所定の位置にある場合、第３のレールは第２のレールの一部を支持し、少なくとも１つの支持構造体は第２のレールの残りの部分を支持する。【選択図】  図４
2019005545.tif 000002
【特許請求の範囲】
【請求項１】
第１のレールと、
前記第１のレールに対して可動な第２のレールと、
前記第１のレールと前記第２のレールとの間に取り付けられる第３のレールと、
前記第１のレールに対して特定の位置に配置される少なくとも１つの支持構造体と、
を含むスライドレールアセンブリであって、
前記第２のレールが前記第１のレールに対して所定の位置にある場合、前記第３のレールは前記第２のレールのレール部分を支持し、前記少なくとも１つの支持構造体は前記第２のレールの残りのレール部分の一部を支持する、スライドレールアセンブリ。
【請求項２】
前記少なくとも１つの支持構造体は延長部材を通じて前記第１のレールに接続され、該延長部材は前記第１のレールの後方部に隣接する位置で前記第１のレールに連結されている、請求項１に記載のスライドレールアセンブリ。
【請求項３】
前記延長部材は上部、下部及び該上部と該下部との間に連結される側部を含み、
前記上部、前記下部及び前記側部は共に延長通路を定義し、前記第２のレールは該延長通路を通じて伸長し、前記少なくとも１つの支持構造体は前記延長通路内に位置している、請求項２に記載のスライドレールアセンブリ。
【請求項４】
前記延長通路内に取り付けられるスライド促進装置をさらに含み、
前記スライド促進装置は前記第２のレールと接触する複数の回転部材を含む、請求項３に記載のスライドレールアセンブリ。
【請求項５】
前記スライドレールアセンブリはケーブル管理装置のために適合されおり、
前記ケーブル管理装置は第１のアームと、該第１のアームに対して可動な第２のアームとを含み、
前記スライドレールアセンブリは前記延長部材に連結される第１の接続部材と、前記第２のレールに連結される第２の接続部材とをさらに含み、
前記第１の接続部材は前記第１のアームに接続されるように構成され、前記第２の接続部材は前記第２のアームに接続されるように構成されている、請求項２に記載のスライドレールアセンブリ。
【請求項６】
前記第２のレールは上壁、下壁及び該上壁と該下壁との間に連結される側壁を含み、
前記第２のレールが前記第１のレールに対して前記所定に位置にある場合、前記少なくとも１つの支持構造体は、前記第２のレールの残りのレール部分の下壁の一部を少なくとも支持する、請求項１に記載のスライドレールアセンブリ。
【請求項７】
ケーブル管理装置のために適合されたスライドレールアセンブリであって、該ケーブル管理装置は第１のアームと、該第１のアームに対して可動な第２のアームとを含み、当該スライドレールアセンブリは、
第１のレールと、
前記第１のレールに対して可動な第２のレールと、
延長部材を通じて前記第１のレールに接続される少なくとも１つの支持構造体と、
前記延長部材に連結される第１の接続部材と、
前記第２のレールに連結される第２の接続部材と、
を含み、
前記第１の接続部材は前記第１のアームに接続されるように構成され、前記第２の接続部材は前記第２のアームに接続されるように構成され、
前記第２のレールが前記第１のレールに対して所定の位置にある場合、前記少なくとも１つの支持構造体は前記第２のレールを支持する、スライドレールアセンブリ。
【請求項８】
前記延長部材は上部、下部及び該上部と該下部との間に接続される側部を含み、
前記上部、前記下部及び前記側部は共に延長通路を定義し、前記第２のレールは該延長通路を通じて伸長し、
前記少なくとも１つの支持構造体は前記延長通路内に位置する、請求項７に記載のスライドレールアセンブリ。
【請求項９】
前記延長通路内に取り付けられるスライド促進装置をさらに含み、
前記スライド促進装置は前記第２のレールと接触する複数の回転部材を含む、請求項８に記載のスライドレールアセンブリ。
【請求項１０】
前記第２のレールは上壁、下壁及び前記第２のレールの上壁と下壁との間に接続される側壁とを含み、
前記第２のレールが前記第１のレールに対して前記所定の位置にある場合、前記少なくとも１つの支持構造体は前記第２のレールの下壁の一部を少なくとも支持する、請求項７に記載のスライドレールアセンブリ。
【発明の詳細な説明】
【技術分野】
【０００１】
本発明はスライドレールアセンブリに関し、より具体的には、スライドレールを支持する強度を高めるための支持機構を備えるスライドレールアセンブリに関する。
【背景技術】
【０００２】
図１に示すラックシステムにおいて、スライドレールアセンブリ１００は第１のブラケット１０２及び第２のブラケット１０４を通じてラック１０６の第１のポスト１０８及び第２のポスト１１０のそれぞれに取り付けられている。スライドレールアセンブリ１００は通常第１のレール１１２、第２のレール１１４及び第３のレール１１６等の複数のスライドレールを含む。第１のレール１１２は第１のブラケット１０２及び第２のブラケット１０４を通じて第１のポスト１０８及び第２のポスト１１０のそれぞれに取り付けられている。第３のレール１１６は第１のレール１１２と第２のレール１１４との間に可動に取り付けられている。第２のレール１１４は、シャーシ等のスライドレールアセンブリ１００によって保持される物体に取り付けられるよう実質的に構成されている。
【先行技術文献】
【特許文献】
【０００３】
【特許文献１】米国特許第９８４８７０３号明細書
【特許文献２】米国特許第９８４８７０２号明細書
【特許文献３】米国特許第９５０４１８１号明細書
【発明の概要】
【発明が解決しようとする課題】
【０００４】
今日、スライドレールアセンブリ１００によって保持される物体は、より多くの電子部品又は装置を収容するために幅が増大傾向にある。したがって、スライドレールアセンブリ１００のスライドレールが保持物体の取り付け空間を占有しないことが重要である。先行技術における１つのアプローチでは、第１のブラケット１０２及び第２のブラケット１０４を通じて第１のレール１１２を第１のポスト１０８と第２のポスト１１０との間の空間に取り付けて、第１のレール１１２が物体の取り付け空間で占める領域を少なくしていた。しかしながら、このような構成によって、第２のレール１１４が第１のレール１１２に対して所定の位置にある間、第２のレール１１４のレール部分Ｓ２を除く第２のレールの残りのレール部Ｓ１は第３のレール１１６によって支持されるものの、レール部分Ｓ２の支持が不十分になるという問題が生じる。例えば、第２のレール１１４と第１のレール１１２との間の間隙Ｇによって、第２のレール１１４のレール部分Ｓ２に十分な支持を提供することが不可能になる。
【０００５】
図２を参照して、保持物体に第２のレール１１４が取り付けられているものの、第２のレール１１４のレール部分Ｓ２が十分な支持を受けていない場合、物体の重さＦによって第２のレール１１４のレール部分Ｓ２が屈曲するか又は変形してスライドレールアセンブリ１００が壊れてしまうことがある。
【課題を解決するための手段】
【０００６】
本発明は、スライドレールがお互いに対して支持される強度を高めるための支持機構を有するスライドレールアセンブリを提供することを目的とする。
【０００７】
本発明の一態様によれば、スライドレールアセンブリは第１のレール、第２のレール、第３のレール及び少なくとも１つの支持構造体を含む。第２のレールは第１のレールに対して可動である。第３のレールは第１のレールと第２のレールとの間に取り付けられる。少なくとも１つの支持構造体は第１のレールに対して特定の位置（a  position）に配置される。第２のレールが第１のレールに対して所定の位置にある場合、第３のレール及び少なくとも１つの支持構造体は第２のレールの２つの部分をそれぞれ支持する。
【０００８】
第２のレールが第１のレールに対して前記所定の位置にある場合、第３のレールは第２のレールのレール部分（rail  section）を支持する一方、少なくとも１つの支持構造体は第２のレールの残りのレール部分の一部を支持することが好ましい。
【０００９】
少なくとも１つの支持構造体は延長部材（extension  member）を通じて第１のレールに接続されていることが好ましい。
【００１０】
延長部材は延長通路（extension  channel）を含み、第２のレールは該延長通路を通じて伸長することが好ましい。
【００１１】
延長部材は第１のレールの後方部に隣接する位置で第１のレールに連結されていることが好ましい。
【００１２】
延長部材は上部、下部及び該上部と該下部との間に連結される側部を含むことが好ましい。上部、下部及び側部は共に延長通路を定義し、第２のレールは該延長通路を通じて伸長し、少なくとも１つの支持構造体は延長通路内に位置している。
【００１３】
支持構造体はスライド促進装置であることが好ましい。
【００１４】
あるいは、スライドレールアセンブリは支持構造体に加えてスライド促進装置をさらに含む。スライド促進装置は延長通路内に取り付けられるとともに、第２のレールと接触する複数の回転部材を含む。
【００１５】
スライドレールアセンブリはケーブル管理装置のために適合されていることが好ましく、ケーブル管理装置は第１のアームと、該第１のアームに対して可動な第２のアームとを含む。その場合、スライドレールアセンブリは延長部材に連結される第１の接続部材と、第２のレールに連結される第２の接続部材とをさらに含むことが好ましい。第１の接続部材は第１のアームに接続されるように構成される一方、第２の接続部材は第２のアームに接続されるように構成されている。
【００１６】
第２のレールは上壁、下壁及び該上壁と該下壁との間に連結される側壁を含み、第２のレールが第１のレールに対して前記所定に位置にある場合、少なくとも１つの支持構造体は第２のレールの一部、好ましくは第２のレールの前記残りのレール部分の下壁の一部を少なくとも支持することが好ましい。
【００１７】
本発明の別の態様によれば、スライドレールアセンブリはケーブル管理装置のために適合されている。ケーブル管理装置は第１のアームと、該第１のアームに対して可動な第２のアームとを含み、スライドレールアセンブリは第１のレール、第２のレール、少なくとも１つの支持構造体、第１の接続部材及び第２の接続部材を含む。第２のレールは第１のレールに対して可動である。少なくとも１つの支持構造体は延長部材を通じて第１のレールに接続されている。第１の接続部材は延長部材に連結され、第２の接続部材は第２のレールに連結されている。第１の接続部材は第１のアームに接続されるように構成され、第２の接続部材は第２のアームに接続されるように構成されている。第２のレールが第１のレールに対して所定の位置にある場合、少なくとも１つの支持構造体は第２のレールを支持する。
【図面の簡単な説明】
【００１８】
【図１】図１は、従来のスライドレールアセンブリがラックに取り付けられ、スライドレールアセンブリのスライドレールのレール部分の支持が不十分であることを示す。
【図２】図２は、力が加えられることで従来のスライドレールアセンブリの支持が不十分なレール部分が変形し得ることを示す。
【図３】図３は、本発明の第１の実施形態における物体をラックに取り付ける一対のスライドレールアセンブリを示す。
【図４】図４は、本発明の第１の実施形態におけるスライドレールアセンブリの分解図である。
【図５】図５は、本発明の第１の実施形態におけるスライドレールアセンブリの組立図である。
【図６】図６は、本発明の第１の実施形態におけるラックに取り付けられたスライドレールアセンブリを示す。
【図７】図７は、図６における丸で囲った領域の拡大図である。
【図８】図８は、本発明の第１の実施形態における物体をラックに取り付けることができるだけでなくケーブル管理装置を取り付けることができる一対のスライドレールアセンブリを示す。
【図９】図９は、本発明の第２の実施形態におけるラックに取り付けられたスライドレールアセンブリを示す。
【図１０】図１０は、図９における丸で囲った領域Ａの拡大図である。
【図１１】図１１は、本発明の第２の実施形態におけるスライドレールアセンブリの概略図である。
【図１２】図１２は、図１１における丸で囲った領域Ａの拡大図である。
【図１３】図１３は、本発明の第２の実施形態におけるラックに取り付けられたスライドレールアセンブリを示す。
【図１４】図１４は、本発明の第３の実施形態におけるスライドレールアセンブリの概略図を示す。
【図１５】図１５は、図１４における丸で囲った領域Ａの拡大図である。
【発明を実施するための形態】
【００１９】
図３を参照して、ラック１０は一対の第１のポスト１２ａ及び一対の第２のポスト１２ｂ等の複数のポストを含む。電子機器のシャーシ等の物体１４は一対のスライドレールアセンブリ１６を通じてラック１０に取り付けられている。より具体的には、本発明の第１の実施形態における各スライドレールアセンブリ１６は第１のブラケット１８及び第２のブラケット２０を通じて対応する第１のポスト１２ａ及び対応する第２のポスト１２ｂに取り付けられている。
【００２０】
図４及び図５を参照して、スライドレールアセンブリ１６は、第１のレール２２と、第２のレール２４と、少なくとも１つの支持構造体２８とを含み、第１のレール２２と第２のレール２４との間に可動に取り付けられる第３のレール２６も含むことが好ましい。第３のレール２６は、第２のレール２４を第１のレール２２に対して動かすことができる距離を長くする役割を果たす。
【００２１】
図４及び図５に示すように、第１のレール２２は前方部３０ａ及び後方部３０ｂを有する。第１のブラケット１８は第１のレール２２の前方部３０ａに隣する位置に配置され、第２のブラケット２０は第１のレール２２の後方部３０ｂに隣接する位置に配置されている。より具体的には、第１のレール２２は上壁３２ａ、下壁３２ｂ、第１のレール２２の上壁３２ａと下壁３２ｂとの間に連結される側壁３４を含む。第１のレール２２の上壁３２ａ、下壁３２ｂ及び側壁３４は共に通路３６を定義する。
【００２２】
第３のレール２６は第１のレール２２の通路３６内に可動に取り付けられている。第３のレール２６は上壁３８ａ、下壁３８ｂ及び第３のレール２６の上壁３８ａと下壁３８ｂとの間に連結される側壁４０を含む。第３のレール２６の上壁３８ａ、下壁３８ｂ及び側壁４０は共に通路４２を定義する。
【００２３】
第２のレール２４は第１のレール２２に対して動かすことができる。ここで、一例として、第２のレール２４は第３のレール２６を通じて第１のレール２２に対して動かすことができる。より具体的には、第２のレール２４は第３のレール２６の通路４２内に可動に取り付けられるとともに、前方部５９及び後方部６０を有する。第２のレール２４は上壁４３ａ、下壁４３ｂ及び第２のレール２４の上壁４３ａと下壁４３ｂとの間に接続される側壁４５を含む。
【００２４】
少なくとも１つの支持構造体２８は第１のレール２２に対して所定の位置に配置されている。例えば、延長部材４４が第１のレール２２の後方部３０ｂに隣接する位置で第１のレール２２に連結され、少なくとも１つの支持構造体２８は延長部材４４を通じて第１のレール２２に接続されている。延長部材４４はリベット留め、はんだ付け、ネジ留め又は組み立てにより後方部３０ｂに隣接する所定の位置で第１のレール２２に固定接続され得る。他の実施形態では、延長部材４４は代替的に後方部３０ｂに隣接する所定の位置で第１のレール２２に可動に取り付けられ得る。
【００２５】
本実施形態における少なくとも１つの支持構造体２８はそれぞれが突起又は壁として形成された２つのそのような構造体を含むことが好ましい。延長部材４４は上部４５ａ、下部４６ｂ及び上部４６ａと下部４６ｂとの間に接続される側部４８を含み、上部４６ａ、下部４６ｂ及び側部４８は共に延長通路５０を定義する。延長通路５０は第３のレール２６の通路４２と整合するか又は対向することが好ましい。第２のレール２４は延長通路５０を通じて延長し、２つの支持構造体２８は延長通路５０の内側の上側及び下側にそれぞれ位置している。例えば、２つの支持構造体２８は延長部材４４の上部４６ａ及び下部４６ｂにそれぞれ固定されている。あるいは、２つの支持構造体２８は延長部材４４の上部４６ａ及び下部４６ｂにそれぞれ一体的に形成され得る。その場合、２つの支持構造体２８及び延長部材４４は１つのユニットとして見ることができる。別の代替例として、２つの支持構造体２８は延長部材４４の上部４６ａ及び下部４６ｂに可動に取り付けられ得る。本発明は、少なくとも１つの支持構造体２８が延長部材４４に対してどのように取り付けられるかに限定されない。
【００２６】
スライドレールアセンブリ１６は、延長通路５０に取り付けられるスライド促進装置５２をさらに含む。スライド促進装置５２はボール又はローラー等の複数の回転部材５４を含む。
【００２７】
スライドレールアセンブリ１６は第１の接続部材５６及び第２の接続部材５８をさらに含むことが好ましい。第１の接続部材５６は延長部材４４に連結される一方、第２の接続部材５８は第２のレール２４に連結されている。例えば、第２の接続部材５８はリベット留め、はんだ付け、ネジ留め又は組み立てにより延長部材４４に固定接続され、第２の接続部材５８は後方部６０に隣接する位置で第２のレール２４にリベット留め、はんだ付け、ネジ留め又は組み立てにより固定接続され得る。
【００２８】
図６及び図７を参照して、第１のレール２２の前方部３０ａは第１のブラケット１８を通じて第１のポスト１２ａに取り付けられ、第１のレール２２の後方部３０ｂは第２のブラケット２０を通じて第２のポスト１２ｂに取り付けられている。その結果、第１のレール２２は第１のポスト１２ａと第２のポスト１２ｂとの間の空間に横たわり、一対のスライドレールアセンブリ１６の２つの第２のレール２４（図３参照）の間に比較的大きな取り付け幅ができるため、比較的大きなシャーシをスライドレールアセンブリ１６の間に取り付けることができる。
【００２９】
続けて図６及び図７を参照して、第２のレール２４が第１のレール２２に対して所定の位置Ｐに位置している場合、第３のレール２６は第２のレール２４の所定のレール部分（例えば、第２のレール２４の前方レール部分又はより具体的には第２のレール２４の前方レール部分の下壁４３ｂ）を支持する。少なくとも１つの支持構造体２８は第２のレール２４の残りのレール部分の一部を支持する（例えば、第２のレール２４の後方レール部分の一部又はより具体的には第２のレール２４の後方レール部分の下壁４３ｂの一部）。所定の位置Ｐは後退位置であり得るが、そのよう構成に限定されない。
【００３０】
上記の説明から、第２のレール２４が所定の位置Ｐにある場合、第３のレール２６及び少なくとも１つの支持構造体２８は第２のレール２４の２つの部分をそれぞれ支持する（例えば、第２のレール２４の前方レール部分の下壁４３ｂ及び後方レール部分の下壁４３ｂ）。
【００３１】
さらに、第２のレール２４が第１のレール２２に対して所定の位置Ｐにある場合、スライド促進装置５２の回転部材５４は、スライド促進装置５２も第２のレール２４の前述の残りのレール部分（例えば後方レール部分）を支持するようにするために、第２のレール２４の後方レール部分の上壁４３ａ及び下壁４３ｂと接触していることが好ましい。この構成は、第２のレール２４が第１のレール２２に対して所定の位置Ｐにある場合に第２のレール２４が支持される強度を高めるのに役立つ。
【００３２】
図８を参照して、一対のスライドレールアセンブリ１６は、物体１４の後ろに沿って走るケーブルを配置するように構成されたケーブル管理装置６２のために適合されている。より具体的には、ケーブル管理装置６２は第１のアーム６４と、第１のアーム６４に対して可動な第２のアーム６６とを含む。第１のアーム６４及び第２のアーム６６は互いに枢結されていることが好ましい。例えば、第１のアーム６４及び第２のアーム６６は枢結ベース６７を通じて枢結されている。
【００３３】
より具体的には、図８における一対のスライドレールアセンブリ１６のうちの一方は第１の接続部材５６及び第２の接続部材５８を含む。第１の接続部材５６及び第２の接続部材５８は延長部材４４及び第２のレール２４にそれぞれ連結されており、第１のアーム６４及び第２のアーム６６にそれぞれ接続されるように構成されている。上述したように第２のレール２４は物体１４を保持する役割を果たす。
【００３４】
物体１４が開く方向Ｄに引き出されると、第２のレール２４は第１のレール２２に対して開く方向Ｄにラック１０の内部からラック１０の外に変位し、第２のレール２４の変位に対応して、ケーブル管理装置６２の第２のアーム６６は第１のアーム６４に対して開く。
【００３５】
図９及び図１０は、第１のポスト１２ａ及び第２のポスト１２ｂに取り付けられた本発明の第２の実施形態におけるスライドレールアセンブリ２００を示す。スライドレールアセンブリ２００は、スライド促進装置５２を含まない点で第１の実施形態のスライドレールアセンブリと実質的に異なる。
【００３６】
第２のレール２４が第１のレール２２に対して所定の位置Ｐ（例えば後退位置）にある場合、少なくとも１つの支持構造体２８は第２のレール２４の前述の残りのレール部分のために支持を提供する。例えば、２つの支持構造体２８は、第２のレール２４の後方レール部分の上壁４３ａ及び下壁４３ｂを支持する（図１１及び図１２を参照）。
【００３７】
図１３は、第１のポスト１２ａ及び第２のポスト１２ｂに取り付けられた本発明の第３の実施形態におけるスライドレールアセンブリ３００を示す。スライドレールアセンブリ３００は少なくとも１つの支持構造体２８を含まず、スライド促進装置５２が少なくとも１つの支持構造体２８の代わりに機能する点で第１の実施形態のスライドレールアセンブリと実質的に異なる。
【００３８】
第２のレール２４が第１のレール２２に対して所定の位置Ｐ（例えば後退位置）にある場合、スライド促進装置５２の回転部材５４は第２のレール２４の前述の残りのレール部分のために支持を提供する。例えば、スライド促進装置５２の回転部材５４は第１のレール２２に対する第２のレール２４の変位を促進するだけでなく、第２のレール２４の後方レール部分の上壁４３ａ及び下壁４３ｂを支持する（図１４及び図１５参照）。
【００３９】
まとめると、本発明の上記の実施形態におけるスライドレールアセンブリは下記の特徴を有することが好ましい。
１）第２のレール２４が第１のレール２２に対して所定の位置Ｐにある場合、第３のレール２６は第２のレール２４の所定のレール部分を支持し、少なくとも１つの支持構造体２８は第２のレール２４の残りのレール部分の一部を支持する。
２）少なくとも１つの支持構造体２８は第１のレール２２に位置するとともに、（第１の実施形態及び第２の実施形態のように）突起であり得るか又は（第３の実施形態にように）スライド促進装置５２が少なくとも１つの支持構造体として二役を担う。
３）スライドレールアセンブリは、第１のアーム６４と、第１のアーム６４に対して可動な第２のアーム６６とを含むケーブル管理装置６２のために適合されている。
【００４０】
上述した好ましい実施形態を参照して本発明を開示してきたが、これらの実施形態は本発明の範囲を制限することを意図したものではない。本願が求める特許保護の範囲は添付の特許請求の範囲によって定義されている。
【符号の説明】
【００４１】
１０  ラック
１２  ポスト
１６  スライドレールアセンブリ
１８  第１のブラケット
２０  第２のブラケット
２２  第１のレール
２４  第２のレール
２６  第３のレール
２８  支持構造体
３０ａ  前方部
３０ｂ  後方部
３２  壁
３４  側壁
３６  通路
３８  壁
４０  側壁
４２  通路
４４  延長部材
４６ａ  上部
４６ｂ  下部
４８  側部
５０  延長通路
５２  スライド促進装置
５４  回転部材
５６  第１の接続部材
５８  第２の接続部材
６０  後方部
６２  ケーブル管理装置
６４  第１のアーム
６６  第２のアーム
【図１】
2019005545.tif 000003
【図２】
2019005545.tif 000004
【図３】
2019005545.tif 000005
【図４】
2019005545.tif 000006
【図５】
2019005545.tif 000007
【図６】
2019005545.tif 000008
【図７】
2019005545.tif 000009
【図８】
2019005545.tif 000010
【図９】
2019005545.tif 000011
【図１０】
2019005545.tif 000012
【図１１】
2019005545.tif 000013
【図１２】
2019005545.tif 000014
【図１３】
2019005545.tif 000015
【図１４】
2019005545.tif 000016
【図１５】
2019005545.tif 000017